(57)【要約】【課題】比較的大型のパラボラアンテナの仰角を強固に固定することができるアンテナ支持脚機構を提供することを目的とする。【解決手段】パラボラアンテナ１と一体に設けられる受信又は送信高周波部を収納する高周波部筐体２が雲台４を介して三脚３に取り付けられ、雲台４による水平方向の回転と雲台３のチルト機構による垂直方向の回動とによりパラボラアンテナ１の方位角と仰角とが設定することができ、雲台４の支持脚側可動部と高周波部筐体側可動部とにより設定されるパラボラアンテナ１の仰角は、チルト機構を摩擦力で固定するとともに、支持脚側可動部に対して高周波部筐体側可動部の回動をネジ式固定機構５で支持して固定することができるアンテナ支持脚機構である。【選択図】    図１
2004260553.tif 000002
【特許請求の範囲】
【請求項１】
パラボラアンテナと一体に設けられる受信又は送信高周波部を収納する高周波部筐体が雲台を介して支持脚に取り付けられ、該雲台による水平方向の回転と該雲台のチルト機構による垂直方向の回動とにより該パラボラアンテナの方位角と仰角とを設定するアンテナ支持脚機構において、
前記雲台の支持脚側可動部と高周波部筐体側可動部とにより設定される前記パラボラアンテナの仰角を、摩擦力で前記チルト機構を固定するとともに、該支持脚側可動部に対して該高周波部筐体側可動部の回動をネジ式固定機構により支持して固定することを特徴とするアンテナ支持脚機構。
【請求項２】
前記ネジ式固定機構は、前記支持脚側可動部の台座から前方に突出した腕部材の先端にネジ棒を挿通する貫通穴が設けられた環状部材が回転自在に設けられ、該環状部材の貫通穴に挿通された該ネジ棒の上端部が前記高周波部筐体側可動部に回動自在に接続され、該ネジ棒に螺合させて該環状部材を挟持する第１と第２のナットを設けたことを特徴とする請求項１に記載のアンテナ支持脚機構。
【発明の詳細な説明】
【０００１】
【発明の属する技術分野】
本発明はアンテナ支持脚機構に関し、詳しくはＦＰＵ（マイクロ波局外中継機器）として、比較的大型のパラボラアンテナが三脚またはアンテナ支柱等の支持脚に装着されて可搬型として利用されており、このような可搬型アンテナにおける仰角を強固に固定し得るアンテナ支持脚機構に係るものである。
【０００２】
【従来の技術】
図５は、従来の可搬型のパラボラアンテナを示している。パラボラアンテナ（１は、反射鏡１ａに一次放射器１ｂを設けた構成であり、アンテナ１の裏面に受信又は送信高周波部を収納する高周波部筐体２が設けられている。高周波部筐体２は雲台４を介して三脚３に装着されている。アンテナ１は、雲台４により水平方向と垂直方向の２座標軸の可変が可能であって、雲台４によりアンテナ１の方位角と仰角とが設定される。設定された仰角は雲台４のチルト機構を摩擦力により固定されている。
【０００３】
【発明が解決しようとする課題】
従来の大型で可搬型のパラボラアンテナでは、図５で示したように、アンテナ１と高周波部筐体２とが一体に組み合わされており、アンテナ１を含む上部の重量が重くなってバランスが悪く、アンテナ１を所定の角度に設定した後、雲台４のチルト機構を摩擦力で固定したとしても、通常の使用状態では問題はないものの強風が吹き荒れる気象条件下や振動が激しい場所等で使用した場合には、チルト機構の拘束が緩んでアンテナが回転し、最適な送受信ポイントから外れることがあった。非常時に通信回線を確保する際には、このような条件下で使用することが多々あって、このような問題点を改善する必要があった。
【０００４】
本発明は、上記課題に鑑みなされたものであって、比較的大型のパラボラアンテナの仰角を強固に固定することができるアンテナ支持脚機構を提供することを目的とするものである。
【０００５】
【課題を解決するための手段】
本発明は、上記課題を達成したものであり、請求項１の発明は、パラボラアンテナと一体に設けられる受信又は送信高周波部を収納する高周波部筐体が雲台を介して支持脚に取り付けられ、該雲台による水平方向の回転と該雲台のチルト機構による垂直方向の回動とにより該パラボラアンテナの方位角と仰角とを設定するアンテナ支持脚機構において、
前記雲台の支持脚側可動部と高周波部筐体側可動部とにより設定される前記パラボラアンテナの仰角を、摩擦力で前記チルト機構を固定するとともに、該支持脚側可動部に対して該高周波部筐体側可動部の回動をネジ式固定機構により支持して固定することを特徴とするアンテナ支持脚機構である。
【０００６】
請求項１の発明では、パラボラアンテナと一体に設けられる受信又は送信高周波部を収納する高周波部筐体が雲台を介して支持脚に取り付けられ、該雲台による水平方向の回転と該雲台のチルト機構による垂直方向の回動とにより該パラボラアンテナの方位角と仰角とを設定するアンテナ支持脚においるアンテナ仰角を強固に固定する機構に関しており、パラボラアンテナと一体に高周波部筐体が組み合わされてその重量が重く、摩擦力で雲台のチルト機構を固定するのは不十分な場合があり、雲台の支持脚側可動部と高周波部筐体側可動部とにより設定されるパラボラアンテナの仰角を、雲台のチルト機構を摩擦力で固定し、さらに、ネジ式固定機構によって、支持脚側可動部に対して高周波部筐体側可動部の回動を支持するようにしたアンテナ支持脚機構である。
【０００７】
また、請求項２の発明は、前記ネジ式固定機構は、前記支持脚側可動部の台座から前方に突出した腕部材の先端にネジ棒を挿通する貫通穴が設けられた環状部材が回転自在に設けられ、該環状部材の貫通穴に挿通された該ネジ棒の上端部が前記高周波部筐体側可動部に回動自在に接続され、該ネジ棒に螺合させて該環状部材を挟持する第１と第２のナットを設けたことを特徴とする請求項１に記載のアンテナ支持脚機構である。
【０００８】
請求項２の発明では、前記ネジ式固定機構が、支持脚側可動部の台座から前方に突出させた腕部材の先端にネジ棒を挿通する貫通穴が設けられた環状部材が回転自在に設けられ、この環状部材の貫通穴に挿通されたネジ棒の上端部が高周波部筐体側可動部に回動自在に接続されており、ネジ棒に螺合された第１と第２のナットにより環状部材を挟持することによって、ネジ棒を支持棒として所定の仰角に固定する支持機構であり、アンテナ仰角を強固に固定するとともに、第１と第２のナットを螺合させて位置を調整することにより、アンテナ仰角の微調整が可能である作用を有する。なお、高周波部筐体側可動部は、底部取付部を介して高周波部筐体が取り付けられており、ネジ棒の上端部を底部取付部に回動自在に接続してもよい。なお、腕部材が前方に突出する方向は、アンテナの仰角が０度の時の反射鏡中心から焦点に至る方向に略一致する。
【０００９】
【発明の実施の形態】
以下、本発明に係るアンテナ支持脚機構の実施形態について、図面を参照して説明する。なお、図１は、本実施形態の側面図、図２はその要部側面図、図３（ａ）は腕部材先端部の上面図、図３（ｂ）は図３（ａ）のＸＹ断面図、図３（ｃ）はネジ棒を挿通した状態の断面図である。図４はアンテナの仰角を設定した状態を示す側面図である。
【００１０】
先ず、図１に基づいて本実施形態について説明すると、パラボラアンテナ（反射鏡）１は、反射鏡１ａに一次放射器１ｂが設けられ、アンテナ１の裏面側には受信又は送信高周波部を収納する高周波部筐体２が取り付けられている。高周波部筐体２は雲台４の一方に固定され、雲台４の他方が三脚（支持脚）３に固定されている。雲台４はアンテナ１を水平及び垂直方向の回転を可能とする機構であり、アンテナ１の方位角と仰角とを設定することができる。なお、図１のアンテナ１は仰角が０度の場合を示している。
【００１１】
雲台４は、図２に示したように、三脚３に固定される水平面の回転を可能とする回転可動部４ａが設けられ、回転可動部４ａの上端面に下部台座部（支持脚側可動部）４ｂが固定され、チルト機構（図示省略）を介在させて上部台座部（高周波部筐体側可動部）４ｃが組み合わされて構成され、アンテナ１の仰角は、下部台座部（支持脚側可動部）４ｂと上部台座部（高周波部筐体側可動部）４ｃとでなす角度で設定される。チルト機構はレバー９により摩擦力を加えることにより、チルト機構の回転運動が拘束されて固定され、かつ雲台４の垂直方向の回動を拘束するネジ式固定機構５が設けられている。上部台座部（高周波部筐体側可動部）４ｃの上面には、高周波部筐体２の底部取付部２ａが取り付けられる。
【００１２】
ネジ式固定機構５は、下部台座部（支持脚側可動部）４ｂに腕部材６が固定されて前方に突出し、腕部材６の先端部に開口部６ａが形成され、開口部６ａに環状部材７が回動自在に設けられ、環状部材７の開口部７ａにネジ棒５ａが挿通され、ナット５ｂ，５ｃによって、環状部材７を挟持するようにし、かつネジ棒５ａの先端が雲台４の上部台座部（高周波部筐体側可動部）４ｃに回動自在に接続されて構成されている。下部台座部４ｂと上部台座部４ｃとで設定された仰角は、レバー９によるチルト機構の摩擦力と、ネジ棒５ａで支持されて固定される。なお、ネジ棒５ａの先端は、高周波部筐体２の底部取付部２ａに回動自在に接続してもよい。
【００１３】
さらに、ネジ式固定機構５の詳細について説明すると、腕部材６の先端部は、図３（ａ），（ｂ）に示したように、開口部６ａが設けられ、この開口部６ａには環状部材７がピン８ａ，８ｂにより回動自在に設けられ、環状部材７の貫通穴７ａにネジ棒５ａが挿通されている。ネジ棒５ａの上端部は、上部台座部（高周波部筐体側可動部）４ｃにピン５ｄにより回動自在に取り付けられ、ネジ棒５ａは、図３（ｃ）に示したように、ネジ棒５ａの環状部材７の上方にナット５ｂが螺合され、ネジ棒５ａの環状部材７の下方にナット５ｃが螺合され、ナット５ｂ，５ｃを螺合して環状部材７を挟持することにより、ネジ棒５ａを所定位置に固定することができる。ネジ棒５ａの先端部が上部台座部４ｃに接続され、ネジ棒５ａの略中間部が腕部材６の先端部で固定されてネジ棒５ａが支持棒として作用し、下部台座部４ｂと上部台座部４ｃとで設定された仰角を強固に固定することができる。また、ネジ式固定機構５は、ナット５ｂ，５ｃの位置を調整することで、仰角を微調整することができる。
【００１４】
なお、図３（ａ），（ｂ）では、環状部材７がリング形状として図示されているが、この実施形態に限定することなく、四角形状であってもよいし、或いは、腕部材６の先端部に貫通穴を設けた球体状のものを回動自在に設けて、この球体の貫通穴にネジ棒５ａを挿通し、ナット５ｂ，５ｃを螺合してこの球体を挟持するようにし、ネジ棒５ａを固定するようにしてもよい。さらに、腕部材６の開口部６ａはＵ字状切欠部としてもよく、このＵ字状切欠部に環状部材７を設けるようにしてもよい。
【００１５】
本実施形態のアンテナ支持脚機構は、図４に示したように、アンテナ１を所定の方位角に設定して、雲台４のチルト機構により仰角を設定し、レバー９によりチルト機構を摩擦力により固定し、さらにネジ式固定機構５により強固に固定して、アンテナ１の仰角が設定される。図４（ａ）はアンテナ１が−１０度の仰角に設定されており、ネジ棒５ａの下端部は下方に突出している。図４（ｂ）ではアンテナ１が３０度の仰角に設定されており、ネジ棒５ａの下端部は上方に位置しており、ナット５ｂ，５ｃを調整して、ネジ棒５ａの位置を調整することによって、アンテナ１の仰角を強固に固定することができる。無論、アンテナ１の仰角を調整した後、ネジ式固定機構５により仰角を微調整してアンテナ１を送受信ポイントに正確に調整して固定した後、チルト機構をレバー９で緊縮して摩擦力で固定するようにしてもよい。
【００１６】
なお、上記実施形態では、支持脚として三脚で説明したが、この実施形態に限らず雲台をアンテナ支柱に固定した支持脚であってもよい。パラボラアンテナがアンテナ支柱に装着されている場合は、通信システムを現地で構築する際に、中継車両の所定位置にアンテナ支柱を組み付けることで容易に設置することが可能である。
【００１７】
また、本実施形態の雲台のチルト機構は、摩擦力により固定することが可能な種々公知の構造のものが適用できることは明らかである。
【００１８】
【発明の効果】
以上説明したように、本発明によれば、パラボラアンテナと一体に高周波部筐体が組み合わされ、比較的大型のアンテナを支持することができるアンテナ支持脚機構であって、雲台のチルト機構を摩擦力で固定し、かつネジ式固定機構によって、アンテナ仰角を強固に固定することが可能であり、パラボラアンテナが強風で煽られたり、振動の影響を受けたとしても設定したアンテナ仰角がずれることがない利点があり、強風等の気象条件や振動等の設置環境での通信回線の確保に効果的である。
【００１９】
また、本発明によれば、アンテナ仰角がネジ棒を用いた支持構造からなるネジ式固定機構であり、アンテナ仰角が強固に固定されており、また、ナットを螺合させて、仰角の微調整が可能な利点がある。
【図面の簡単な説明】
【図１】本発明に係るアンテナ支持脚機構の一実施形態を示す側面図である。
【図２】本実施形態の要部側面図である。
【図３】（ａ）は腕部材先端部の上面図、（ｂ）はそのＸＹ断面図、（ｃ）はネジ棒を挿通した状態の要部断面図である。
【図４】（ａ），（ｂ）は、アンテナの仰角を設定した状態を示す側面図である。
【図５】従来のアンテナ支持脚機構の一例を示す側面図である。
【符号の説明】
１  パラボラアンテナ
１ａ  反射鏡
１ｂ  一次放射器
２  高周波筐体
２ａ  底部取付部
３  三脚（支持体）
４  雲台
４ａ  回転可動部
４ｂ  下部台座部（支持脚側可動部）
４ｃ  上部台座部（高周波部筐体側可動部）
５  ネジ式固定機構
５ａ  ネジ棒
５ｂ，５ｃ  ナット
５ｄ  ピン
６  腕部材
７  環状部材
８ａ，８ｂ  ピン
９  レバー
【図１】
2004260553.tif 000003
【図２】
2004260553.tif 000004
【図３】
2004260553.tif 000005
【図４】
2004260553.tif 000006
【図５】
2004260553.tif 000007